(57)【特許請求の範囲】
【請求項１】
一方の相手コネクタ嵌合部を有し、且つこの一方の相手コネクタ嵌合部に雄側リテーナを挿入して、この雄側リテーナで雄側ランスを押圧して雄側接続端子を雄側コネクタハウジングに固定する雄側コネクタと、他方の相手コネクタ嵌合部を有し、且つこの他方の相手コネクタ嵌合部に雌側リテーナを挿入して、この雌側リテーナで雌側ランスを押圧して雌側接続端子を雌側コネクタハウジングに固定する雌側コネクタを備えた防水コネクタであって、
前記雄側コネクタと前記雌側コネクタとを、前記雄側接続端子を前記雌側接続端子に対向させて配置した状態で対峙させた際に、前記雄側ランスと前記雌側ランスとが、コネクタ挿抜方向に直交する方向に互いに離間させて配置されると共に前記雌側ランスは前記雄側ランスに対して反転した逆向きであり、前記雄側リテーナと前記雌側リテーナとが前記直交方向に互いに離間させて配置され、前記雄側リテーナが前記一方の相手コネクタ嵌合部内に延出されており、前記雌側リテーナが前記他方の相手コネクタ嵌合部内に延出されていることを特徴とする防水コネクタ。
【請求項２】
前記雄側コネクタハウジングに、前記雌側コネクタの外壁を構成する前記雌側コネクタハウジングが挿入されるシール嵌挿部を設け、このシール嵌挿部にシール部材を嵌挿し、このシール部材の閉鎖断面を、前記雌側コネクタハウジングの閉鎖断面と同等にして、この雌側コネクタハウジングの端面で前記シール部材の端面を押圧するようにしたことを特徴とする請求項１に記載の防水コネクタ。
【請求項３】
前記シール嵌挿部の端面部にシール挿入溝部を形成し、前記シール部材の押圧時に、前記シール部材の一部を前記シール挿入溝部に挿入させるようにしたことを特徴とする請求項２に記載の防水コネクタ。
【請求項４】
前記雄側コネクタハウジングに、雄側ケーブル挿通部と、この雄側ケーブル挿通部の背面側に位置する雄側バックカバー装着部を設けると共に、前記雌側コネクタハウジングに、雌側ケーブル挿通部と、この雌側ケーブル挿通部の背面側に位置する雌側バックカバー装着部を設け、前記雄側ケーブル挿通部に、前記雄側接続端子に接続されたケーブルを保持した雄側ケーブル用シール部材を挿入すると共に、前記雄側バックカバー装着部に雄側バックカバーを装着して、この雄側バックカバーで前記雄側ケーブル用シール部材を押圧して、この雄側ケーブル用シール部材を変形させて前記雄側ケーブル用シール部材を前記雄側ケーブル挿通部に押し付け、前記雌側ケーブル挿通部に、前記雌側接続端子に接続されたケーブルを保持した雌側ケーブル用シール部材を挿入すると共に、前記雌側バックカバー装着部に雌側バックカバーを装着して、この雌側バックカバーで前記雌側ケーブル用シール部材を押圧して、この雌側ケーブル用シール部材を変形させて前記雌側ケーブル用シール部材を前記雌側ケーブル挿通部に押し付けるようにしたことを特徴とする請求項１乃至請求項３の何れかの一に記載の防水コネクタ。
【発明の詳細な説明】
【技術分野】
【０００１】
本発明は、例えば自動車の電気系統等に用いて好適な防水コネクタに関するものである。
【背景技術】
【０００２】
一般に、自動車の電気系統に用いられる防水コネクタは、インナーハウジングとアウターハウジングが別部品からなる組立式のものであり、この防水コネクタは、図３５に示すように、互いに嵌合可能な雄側コネクタ１００と雌側コネクタ１０１とからなる。
【０００３】
雄側コネクタ１００は、絶縁樹脂材からなる楕円筒形のアウターハウジング１０３を備えており、このアウターハウジング１０３は、相手コネクタ嵌合部１０３Ａと、この相手コネクタ嵌合部１０３Ａに連なる中空部１０４を有していて、この中空部１０４には、インナーハウジング１０５と、このインナーハウジング１０５の外周に被着された金属シェル１１２が挿嵌してある。そして、このインナーハウジング１０５には端子収容室１０６が形成してあり、端子収容室１０６にはシールド線１０７の絶縁芯線１０８に接続されたターミナルである雄側接続端子１０９が収容してある。この場合、相手コネクタ嵌合部１０３Ａから端子収容室１０６の先側に雄側リテーナ１１０を挿入することで、ランス１１１を押し下げて雄側接続端子１０９を固定するようにしてある。
【０００４】
そして、シールド線１０７は防水用シール部材１１４を挿通しており、防水用シール部材１１４は中空部１０４とシールド線１０７の間を水密状態に封止している。
【０００５】
また、雌側コネクタ１０１は雄側コネクタ１００と略同様に構成してあり、絶縁樹脂材からなる楕円筒形のアウターハウジング２０３は相手コネクタ嵌合部２０３Ａと、この相手コネクタ嵌合部２０３Ａに連なる中空部２０４を有しており、この中空部２０４にはインナーハウジング２０５とこのインナーハウジング２０５の外周に被着された金属シェル２１４が挿嵌してあり、このインナーハウジング２０５の端子収容室２０６にはシールド線２０７の絶縁芯線２０８に接続されたターミナルである雌側接続端子２０９が収容してある。この場合、相手コネクタ嵌合部２０３Ａから端子収容室２０６の先側に雌側リテーナ２１０を挿入することで、ランス２１１を押して下げて雌側接続端子２０９を固定するようにしてある。
【０００６】
また、雌側コネクタ１０１のインナーハウジング２０５の外壁面にはシール部材２１２が装着してあるし、また、シールド線２０７は防水用シール部材２１３を挿通しており、防水用シール部材２１３は中空部２０４とシールド線２０７の間を水密状態に封止している。
【０００７】
このように構成された雄側コネクタ１００と雌側コネクタ１０１とが結合されると、雄側接続端子１０９が雌側接続端子２０９に挿入され、雄側コネクタ１００のインナーハウジング１０５と、雌側コネクタ１０１のインナーハウジング２０５とは、先端面同士で当接状態となる。同時に、雄側コネクタ１００のアウターハウジング１０３は、雌側コネクタ１０１の相手コネクタ嵌合部２０３Ａに挿入される。この際、シール部材２１２が雄側コネクタ１００のアウターハウジング１０３の内壁面と雌側コネクタ１０１のインナーハウジング２０５の外壁面との間に位置して防水するようになる（特許文献１参照）。
【特許文献１】特開平８−１３８７９８号公報
【発明の開示】
【発明が解決しようとする課題】
【０００８】
しかしながら、上記した従来の防水コネクタは大型であったために小型化が望まれていた。このような防水コネクタを小型化した場合、雄側コネクタ１００の相手コネクタ嵌合部１０３Ａが小さくなって、相手コネクタ嵌合部１０３Ａから雄側リテーナ１１０を端子収容室１０６の先側に挿入操作する操作性が悪くなり、雄側リテーナ１１０の挿入操作に治具等が必要になるし、同様に、雌側コネクタ１０１でも、相手コネクタ嵌合部２０３Ａが小さくなって、相手コネクタ嵌合部２０３Ａから雌側リテーナ２１０を端子収容室２１２の先側に挿入操作する操作性が悪くなり、雌側リテーナ２１０の挿入操作に治具等が必要になるという問題が生じていた。
【０００９】
また、小型化の際に、雄側リテーナ１１０及び雌側リテーナ２１０の操作性を良くするために、雄側リテーナ１１０を相手コネクタ嵌合部１０３Ａまで伸ばし、また、雌側リテーナ２１０を相手コネクタ嵌合部２０３Ａまで伸ばそうとしても、雄側コネクタ１０１と雌側コネクタ１０２とを、雄側接続端子１０９を雌側接続端子２０９に対向させて配置した状態で対峙させた際に、雄側リテーナ１１０と雌側リテーナ２１０とが対向する位置関係にあるために、伸ばすことができない。
【００１０】
また、シール部材２１２を、雄側コネクタ１００のアウターハウジング１０３の内壁面と雌側コネクタ１０１のインナーハウジング２０５の外壁面との間に位置させて防水させていたために、シール部材２１２の厚さ分、防水コネクタが大型化するという問題があった。
【００１１】
本発明は上記の問題点を解決するためになされたものであって、その目的とするところは、雄側リテーナ及び雌側リテーナの挿入操作に治具等を使用することなく雄側リテーナ及び雌側リテーナの挿入操作を行なうことができて挿入操作性が良くなり、小型化が可能になる防水コネクタを提供することである。
【課題を解決するための手段】
【００１２】
上記の目的を達成するための本発明に係る防水コネクタは、一方の相手コネクタ嵌合部を有し、且つこの一方の相手コネクタ嵌合部に雄側リテーナを挿入して、この雄側リテーナで雄側ランスを押圧して雄側接続端子を雄側コネクタハウジングに固定する雄側コネクタと、他方の相手コネクタ嵌合部を有し、且つこの他方の相手コネクタ嵌合部に雌側リテーナを挿入して、この雌側リテーナで雌側ランスを押圧して雌側接続端子を雌側コネクタハウジングに固定する雌側コネクタを備えた防水コネクタであって、雄側コネクタと雌側コネクタとを、雄側接続端子を雌側接続端子に対向させて配置した状態で対峙させた際に、雄側ランスと雌側ランスとが、コネクタ挿抜方向に直交する方向に互いに離間させて配置されると共に雌側ランスは雄側ランスに対して反転した逆向きであり、雄側リテーナと雌側リテーナとが前記直交方向に互いに離間させて配置され、前記雄側リテーナが前記一方の相手コネクタ嵌合部内に延出されており、前記雌側リテーナが前記他方の相手コネクタ嵌合部内に延出されていることを特徴とする。
【００１３】
かかる構成により、雄側リテーナを雄側コネクタの一方の相手コネクタ嵌合部の、例えば開口部まで延出させ、雌側リテーナを雌側コネクタの他方の相手コネクタ嵌合部の、例えば開口部まで延出させても、雄側リテーナが雌側リテーナに干渉することがなく、このために、雄側リテーナを雄側コネクタの一方の相手コネクタ嵌合部の、例えば開口部まで延出させることができると共に、雌側リテーナを雌側コネクタの他方の相手コネクタ嵌合部の、例えば開口部まで延出させることができる。このために、雄側リテーナ及び雌側リテーナの挿入操作に治具等を使用することなく雄側リテーナ及び雌側リテーナの挿入操作を行なうことができて挿入操作性が良くなり、相手コネクタ嵌合部の小型化が可能になって、防水コネクタの小型化が可能になる。
【００１４】
また、本発明に係る防水コネクタは、上記した本発明に係る防水コネクタにおいて、雄側コネクタハウジングに、雌側コネクタの外壁を構成する雌側コネクタハウジングが挿入されるシール嵌挿部を設け、このシール嵌挿部にシール部材を嵌挿し、このシール部材の閉鎖断面を雌側コネクタハウジングの閉鎖断面と同等にして、この雌側コネクタハウジングの端面でシール部材の端面を押圧するようにしたことを特徴とする。
【００１５】
かかる構成により、シール部材の厚みが防水コネクタの大きさに影響することがなく、防水コネクタの小型化に寄与することができる。
【００１６】
また、本発明に係る防水コネクタは、上記した本発明に係る防水コネクタにおいて、シール嵌挿部の端面部にシール挿入溝部を形成し、シール部材の押圧時に、シール部材の一部をシール挿入溝部に挿入させるようにしたことを特徴とする。
【００１７】
かかる構成により、シール部材の押圧時に、シール部材の一部がシール挿入溝部に挿入されるために、防水力を向上させることができる。
【００１８】
また、本発明に係る防水コネクタは、上記した本発明に係る防水コネクタにおいて、雄側コネクタハウジングに、雄側ケーブル挿通部と、この雄側ケーブル挿通部の背面側に位置する雄側バックカバー装着部を設けると共に、雌側コネクタハウジングに、雌側ケーブル挿通部と、この雌側ケーブル挿通部の背面側に位置する雌側バックカバー装着部を設け、雄側ケーブル挿通部に、雄側接続端子に接続されたケーブルを保持した雄側ケーブル用シール部材を挿入すると共に、雄側バックカバー装着部に雄側バックカバーを装着して、この雄側バックカバーで雄側ケーブル用シール部材を押圧して、この雄側ケーブル用シール部材を変形させて雄側ケーブル用シール部材を雄側ケーブル挿通部に押し付け、雌側ケーブル挿通部に、雌側接続端子に接続されたケーブルを保持した雌側ケーブル用シール部材を挿入すると共に、雌側バックカバー装着部に雌側バックカバーを装着して、この雌側バックカバーで雌側ケーブル用シール部材を押圧して、この雌側ケーブル用シール部材を変形させて雌側ケーブル用シール部材を雌側ケーブル挿通部に押し付けるようにしたことを特徴とする。
【００１９】
かかる構成により、雄側バックカバーで雄側ケーブル用シール部材を押圧して、この雄側ケーブル用シール部材を変形させることで、雄側ケーブル用シール部材を雄側ケーブル挿通部に押し付けてケーブル側の防水力を向上させることができるし、雌側バックカバーで雌側ケーブル用シール部材を押圧して、この雌側ケーブル用シール部材を変形させることで、雌側ケーブル用シール部材を雌側ケーブル挿通部に押し付けてケーブル側の防水力を向上させることができる。
【発明の効果】
【００２０】
本発明に係る防水コネクタによれば、雄側リテーナを雄側コネクタの一方の相手コネクタ嵌合部の、例えば開口部まで延出させ、雌側リテーナを雌側コネクタの他方の相手コネクタ嵌合部の、例えば開口部まで延出させても、雄側リテーナが雌側リテーナに干渉することがなく、このために、雄側リテーナを雄側コネクタの一方の相手コネクタ嵌合部の、例えば開口部まで延出させることができると共に、雌側リテーナを雌側コネクタの他方の相手コネクタ嵌合部の、例えば開口部まで延出させることができる。このために、雄側リテーナ及び雌側リテーナの挿入操作に治具等を使用することなく雄側リテーナ及び雌側リテーナの挿入操作を行なうことができて挿入操作性が良くなり、相手コネクタ嵌合部の小型化が可能になって、防水コネクタの小型化が可能になる。
【００２１】
また、本発明に係る防水コネクタによれば、シール部材の厚みが防水コネクタの大きさに影響することがなく、防水コネクタの小型化に寄与することができる。
【００２２】
また、本発明に係る防水コネクタによれば、シール部材の押圧時に、シール部材の一部がシール挿入溝部に挿入されるために、防水力を向上させることができる。
【００２３】
また、本発明に係る防水コネクタによれば、雄側バックカバーで雄側ケーブル用シール部材を押圧して、この雄側ケーブル用シール部材を半径方向に変形させることで、雄側ケーブル用シール部材を雄側ケーブル挿通部に押し付けてケーブル側の防水力を向上させることができるし、雌側バックカバーで雌側ケーブル用シール部材を押圧して、この雌側ケーブル用シール部材を半径方向に変形させることで、雌側ケーブル用シール部材を雌側ケーブル挿通部に押し付けてケーブル側の防水力を向上させることができる。
【発明を実施するための最良の形態】
【００２４】
以下、本発明に係る防水コネクタの実施の形態を、図面を参照して詳細に説明する。
【００２５】
図１は本発明に係る防水コネクタにおける雄側コネクタと雌側コネクタとの結合直前の状態を断面で表わした説明図、図２は同雄側コネクタと雌側コネクタとの結合状態を断面で表わした説明図、図３は雄側コネクタを背面側から見た一部分解した斜視図である。なお、図１においてコネクタ挿抜方向を符号イで示す。
【００２６】
図１に示すように、防水コネクタは雄側コネクタＡと雌側コネクタＢから構成してある。雄側コネクタＡは、図３乃至図１０に示すように、絶縁樹脂材からなる筒形の雄側コネクタハウジング２を有しており、この雄側コネクタハウジング２は、背面が閉塞端部３であり、その内部は一方の相手コネクタ嵌合部である相手コネクタ嵌合部４にしてある（図８参照）。
【００２７】
そして、この相手コネクタ嵌合部４の閉塞端部３側は環形状のシール嵌挿部５にしてあり、このシール嵌挿部５の端面部５ａには環状のシール挿入溝部６が形成してある。また、雄側コネクタハウジング２には、図８において上部に、シール嵌挿部５に開口するようにした係止孔５ｂが形成してあり、また、図８に示すように、後述する端子収容室形成部１０にはシール嵌挿部５に開口する係止凹部５ｃが設けてある。
【００２８】
また、雄側コネクタハウジング２には、図９において上側に位置させてロック挿入部７が形成してあり、このロック挿入部７にはロック係止穴８が設けてある。また、雄側コネクタハウジング２の閉塞端部３には雄側ケーブル挿通部９が設けてある。
【００２９】
雄側コネクタハウジング２の閉塞端部３には相手コネクタ嵌合部４内に突入するようにして端子収容室形成部１０が設けてあり、この端子収容室形成部１０には、図１０に示すように、コネクタ挿抜方向イに対して直交する方向（図１０において上下方向）に複数の端子収容室１１が設けてあり、これらの端子収容室１１の上面側は開放している。そして、これらの端子収容室１１の背面側は雄側ケーブル挿通部９に通じている。
【００３０】
また、図９に示すように、端子収容室形成部１０の先端面部１０ａには端子収容室１１に通じる端子挿入孔１２が設けてあり、また、図１０に示すように、端子収容室形成部１０には、両端側の端子収容室１１の外側に位置させてコネクタ挿抜方向イに沿う突起挿入溝部１３が形成してある。
【００３１】
また、図８及び図９に示すように、雄側コネクタハウジング２の閉塞端部３には、端子収容室１１と同数個の雄側ランス１４が片持ち状に突設してあり、これらの雄側ランス１４は端子収容室１１の開放面上に位置している。また、閉塞端部３には、雄側ランス１４を覆うようにしてリテーナ嵌合壁部１５が突設してあり、このリテーナ嵌合壁部１５と端子収容室形成部１０との間に雄側リテーナ嵌合部１６が形成してある。そして、リテーナ嵌合壁部１５には係止用切欠き部１７ａと係止孔部１７が形成してある。
【００３２】
また、雄側コネクタハウジング２の閉塞端部３の外面には雄側バックカバー装着部１８が設けてある。この雄側バックカバー装着部１８は、図３に示すように、閉塞端部３の外面に雄側ケーブル挿通部９を囲むようにして突設された環状突起部１９と、雄側コネクタハウジング２の閉塞端部３の両側面部に形成された係合凹部２０を有しており、環状突起部１９には、図３において上、下部に係合突起２１が設けてあり、また、係合凹部２０には係合突起２２が設けてある。
【００３３】
図１１乃至図１５に雄側リテーナ２３を示す。この雄側リテーナ２３は、レバー部２４の先部にランス押圧部２５を形成して構成してある。このランス押圧部２５は、プレート状の挿入部２６の裏面部２６ａに段部よりなる衝合部２７Ａを形成して、この衝合部２７Ａより先側を押え部２７Ｂにし、裏面部２６ａに複数の仕切り壁部２８を設けて、押え部２７Ｂを複数に仕切った構成である。そして、ランス押圧部２５の両側に位置する両側壁部２５ａ，２５ｂの底面部にはガイド突起部２９Ａが突設してあるし、ランス押圧部２５の表面部の中央には係止突起部２９Ｂが突設してある。
【００３４】
図１６乃至図１８にシール部材３０を示す。このシール部材３０は環状の部材本体３０Ａを有しており、この部材本体３０Ａの外周面には複数のリップ部３１が形成してあり、また、シール部材３０の外周部の図１７において上部中央には係止突起部３２が突設してあり、また、シール部材３０の内周部の図１７において下部中央には係止突起部３３が突設してある。そして、シール部材３０の閉鎖断面は、雌側コネクタＢの外壁を構成する後述する雌側コネクタハウジング６０の相手コネクタ嵌合部６２側の部位６０Ａの閉鎖断面と同等にしてある。
【００３５】
図１９及び図２０に雄側ケーブル用シール部材３６を示す。この雄側ケーブル用シール部材３６は、雄側ケーブル挿通部９の断面形状と同じ形状の部材本体３６Ａを有しており、この部材本体３６Ａの外周面には複数のリップ部３７が形成してあり、また、部材本体３６Ａの外周部の図１９において上、下部中央には係止突起部３７ａ，３７ｂが突設してある。また、部材本体３６Ａの面部には複数のケーブル挿通孔３８が形成してある。
【００３６】
また、図３に雄側バックカバー４０を示す。この雄側バックカバー４０は、雄側コネクタハウジング２の雄側バックカバー装着部１８に装着されるものであって、この雄側バックカバー４０は、雄側バックカバー装着部１８の形状と同じ形状の部材本体４０Ａを有しており、この部材本体４０Ａの外周面の図３において上、下部中央に係止用切欠き部４１が形成してある。また、部材本体４０Ａの外周面の図３において左、右側部中央には係止片部４２が突設してあり、これらの係止片部４２には係止孔部４３が設けてある。そして、部材本体４０Ａの面部には複数の雄側ケーブル挿通孔４４が形成してある。
【００３７】
また、図１に示すように、雄側接続端子４５は、圧着部４６と嵌合部４７と雄側接触子４８を有している。
【００３８】
そして、図１に示すように、雄側コネクタハウジング２のシール嵌挿部５にはシール部材３０が挿入してある。この場合、シール部材３０の係止突起部３２が雄側コネクタハウジング２の係止孔５ｂに係止されると共に、係止突起部３３が係止凹部５ｃに係止される。そして、シール部材３０の端面部３０ａがシール嵌挿部５の端面部５ａに当接している。
【００３９】
そして、図１に示すように、ケーブルであるシールド線５０を、雄側バックカバー４０の雄側ケーブル挿通孔４４に挿通し、さらに、雄側ケーブル用シール部材３６のケーブル挿通孔３８に挿通した後に雄側接続端子４５の圧着部４６に圧着接続する。
【００４０】
そして、図１に示すように、雄側接続端子４５を、雄側ケーブル挿通部９に挿入した後に、その嵌合部４７を端子収容室１１に嵌合収容する。この場合、雄側接触子４８が端子挿入孔１２を貫通して相手コネクタ嵌合部４内に突入する。そして、雄側ケーブル挿通部９に雄側ケーブル用シール部材３６を嵌挿する。
【００４１】
そして、図３において、雄側バックカバー４０を、雄側コネクタハウジング２の雄側バックカバー装着部１８の環状突起部１９に嵌合し、雄側バックカバー４０の係止用切欠き部４１に係止突起部２１を係止し、係止片部４２を係止凹部２０に挿入して、これらの係止片部４２の係止孔部４３に係止突起部２２を係脱可能に係止することで、雄側バックカバー装着部１８に雄側バックカバー４０を装着し、この雄側バックカバー４０を雄側ケーブル用シール部材３６に押し付けることで、この雄側ケーブル用シール部材３６を変形させて雄側ケーブル用シール部材３６を雄側ケーブル挿通部９の周面に押し付けてシールド線５０と雄側ケーブル挿通部９とを封止する。
【００４２】
また、図２１に示すように、雄側コネクタハウジング２の雄側リテーナ嵌合部１５に雄側リテーナ２３を嵌挿する。この場合、雄側リテーナ２３の一対のガイド突起部２９Ａが、図１０に示す端子収容室形成部１０に設けた一対の突起挿入溝部１３の先側（図１０において左端側）に摺動可能に挿入し、ランス押圧部２５の係合突起部２９Ｂをリテーナ嵌合壁部１５の係止用切欠き部１７ａに衝合させる。この状態では、ランス押圧部２５は複数個の雄側ランス１４を押圧しておらず、レバー部２４の端部は相手コネクタ嵌合部４外に突出している。
【００４３】
図１１、図２１、図２２に示すように、上記した状態では、雄側リテーナ２３がプリセット状態であって、この雄側リテーナ２３は、雄側接続端子４５をセット（固着）していない。この雄側リテーナ２３で、雄側接続端子４５をセット（固着）する場合には、雄側リテーナ２３を、そのレバー部２４を操作して押し込むことにより、雄側リテーナ２３のランス押圧部２５の係合突起部２９Ｂをリテーナ嵌合壁部１５の係止用切欠き部１７ａから、このリテーナ嵌合壁部１５の内面側に移動させて、この係合突起部２９Ｂをリテーナ嵌合壁部１５の係止孔部１７に係脱可能に係合させると共に、ランス押圧部２５の押え部２７Ｂで雄側ランス１４を押圧し、且つ衝合部２７Ａを雄側ランス１４の端部に衝合させ押え部２７Ｂで雄側ランス１４を押えて、これらの雄側ランス１４で雄側接続端子４５の嵌合部４７を押し付けて雄側接続端子４５をセット（固着）する。
【００４４】
図１、図２３乃至図２８に示すように、雌側コネクタＢは、絶縁樹脂材からなる筒形の雌側コネクタハウジング６０を有しており、この雌側コネクタハウジング６０は、背面側が閉塞端部６１であり、その内部は他方の相手コネクタ嵌合部である相手コネクタ嵌合部６２にしてある。
【００４５】
そして、雌側コネクタハウジング６０には、図２６において上側に位置させて片持ち片状のロック部６３が設けてあり、このロック部６３には係合突起部６３ａが設けてある。また、雌側コネクタハウジング６０の閉塞端部６１には雌側ケーブル挿通部６４が設けてある。
【００４６】
雌側コネクタハウジング６０の閉塞端部６１には端子収容室形成部６５と雌側リテーナ嵌合部６８が設けてあり、この端子収容室形成部６５には、図２８に示すように、コネクタ挿抜方向イに対して直交する方向（図２８において上下方向）に複数の端子収容室６６が設けてあり、これらの端子収容室６６は、図２６において下面側が開放している。そして、これらの端子収容室６６は雌側ケーブル挿通部６４に通じている。また、図２６に示すように、端子収容室形成部６５の先端面部には端子収容室６６に通じる端子挿入孔６７が設けてある。
【００４７】
また、図２７及び図２８に示すように、雌側リテーナ嵌合部６８の底面部には、一対のレール部６９がコネクタ挿抜方向イに平行して形成してあり、これらレール部６９は端子収容室６６の図２６において下方側に延長している。そして、レール部６９にはリテーナ用ストッパ部７０Ａが突設してある。また、雌側リテーナ嵌合部６８の底面部には、レール部６８の外方に位置させてガイド用溝部７１がコネクタ挿抜方向イに形成してあり、図２６に示すように、これらのガイド用溝部７１にリテーナ用ストッパ部７０Ｂが突設してある。
【００４８】
また、図２６に示すように、雌側コネクタハウジング６０の閉塞端部６１には、端子収容室６６と同数個の雌側ランス７２が片持ち状に突設してあり、これらの雌側ランス７２は端子収容室６６の開放面下に位置している。
【００４９】
また、雌側コネクタハウジング６０の閉塞端部６１の背面側には雌側バックカバー装着部７３が設けてある。この雌側バックカバー装着部７３は、図２５に示すように、閉塞端部６１の外面に雄側ケーブル挿通部６４を囲むようにして形成された環状突起部１９Ａを有しており、この環状突起部１９Ａには、図２５において上、下部に係合突起２１Ａが設けてあり、また、図２５において左、右部に係合突起２２Ａが設けてある。
【００５０】
図２９乃至図３４に雌側リテーナ７４を示す。この雌側リテーナ７４は、プレート状のリテーナ本体７４Ａを備えており、このリテーナ本体７４Ａの先部には複数のランス押圧部７５が形成してある。これらのランス押圧部７５は、図３２に示すように、リテーナ本体７４Ａの表面部７４ａの先部に段部７６を形成して、この段部７６より先側を押え部７８にし、表面部７４ａに複数の仕切り壁部７９を設けて、押え部７８を複数に仕切った構成である。
【００５１】
また、図３３に示すように、リテーナ本体７４Ａの裏面部７４ｂには、一対のレールガイド溝部８０が仕切り壁部７９と平行に形成してあり、これらのレールガイド溝部８０には、その先側に当接部８１が設けてある。また、リテーナ本体７４Ａの裏面部７４ｂの先側には、その両側に位置させてガイド突起部８１Ａが突設してある。
【００５２】
また、図１に示す雌側接続端子８２は、圧着部８３と嵌合部８４と雌側接触子８５を有している。また、図１に示すように、雌側バックカバー装着部７３に装着される雌側バックカバー４０Ｂは、雄側バックカバー装着部１８に装着される雌側バックカバー４０と同構成であるために、同じ符号を付して説明を省略する。また、雌側ケーブル用シール部材３６Ｂは、雄側ケーブル用シール部材３６と同構成であるために、同じ符号を付して説明を省略する。
【００５３】
そして、図１に示すように、ケーブルであるシールド線９０を、雌側バックカバー４０Ｂの雌側ケーブル挿通孔４４に挿通し、さらに、雌側ケーブル用シール部材３６Ｂのケーブル挿通孔３８に挿通した後に雌側接続端子８２の圧着部８３に圧着接続する。
【００５４】
そして、図１に示すように、雌側接続端子８２を、雌側ケーブル挿通部６４に挿入した後に、その嵌合部８４を端子収容室６６に嵌合収容する。そして、ケーブル挿通部６４に雌側ケーブル用シール部材３６Ｂを嵌着する。
【００５５】
そして、雌側バックカバー４０Ｂを雌側バックカバー装着部７３の環状突起部１９Ａに嵌合し、雌側バックカバー４０Ｂの係止用切欠き部４１に係止突起部２１Ａを係止し、係止片部４２の係止孔部４３に係止突起部２２Ａを係脱可能に係止することで、雌側バックカバー装着部７３に雌側バックカバー４０Ｂを装着し、この雌側バックカバー４０Ｂを雌側ケーブル用シール部材３６Ｂに押し付けることで、この雌側ケーブル用シール部材３６Ｂを変形させて雌側ケーブル用シール部材３６Ｂを雌側ケーブル挿通部６４の周面に押し付けてシールド線９０と雌側ケーブル挿通部６４とを封止する。
【００５６】
そして、図３４に示すように、雌側コネクタハウジング６０の雌側リテーナ嵌合部６８に雌側リテーナ７４を嵌挿する。この場合、雌側リテーナ７４の一対のレールガイド溝部８０に雌側リテーナ嵌合部６８のレール部６９を摺動可能に挿入して、雌側リテーナ７４側の当接部８１をリテーナ用ストッパ部７０Ａ（図２６，図２７，図２８に明記）に当接すると共に、雌側リテーナ７４側のガイド突起部８１Ａがガイド用溝部７１側のリテーナ用ストッパ部７０Ｂ（図２６，図２７に明記）に当接する。この場合、雌側リテーナ７４のランス押圧部７５の押え部７８は雌側ランス７２を押圧していない。
【００５７】
上記した状態では、雌側リテーナ７４がプリセット状態であって、この雌側リテーナ７４は、雌側接続端子８２をセット（固着）していない。この雌側リテーナ７４で、雌側接続端子８２をセット（固着）する場合には、雌側リテーナ７４を押し込むことにより、図２に示すように、雌側リテーナ７４のランス押圧部７５の押え部７８で雌側ランス７２を押圧し、これらの雌側ランス７２に雌側接続端子８２の嵌合部８４を押し付けて雌側接続端子８２をセット（固着）する。
【００５８】
次に、雄側コネクタＡにおける雄側接触端子４５、雄側ランス１４及び雄側リテーナ２３と、雌側コネクタＢにおける雌側接触端子８２、雌側ランス７２及び雌側リテーナ７４との配置関係を説明する。
【００５９】
図１に示すように、雄側コネクタＡと雌側コネクタＢとを、雄側接続端子４５を雌側接続端子８２に対向させて配置した状態で対峙させた際に、雌側接続端子８２が雄側接続端子４５に対して反転した逆向きであり、雄側ランス１４と雌側ランス７２とが、コネクタ挿抜方向イに直交する方向（図１において上下方向）に互いに離間させて配置されると共に、雌側ランス７２は雄側ランス１４に対して反転した逆向きであり、雄側リテーナ２３と雌側リテーナ７４とが、コネクタ挿抜方向イの直交方向に互いに離間させて配置されると共に、雌側リテーナ７４は雄側リテーナ２３に対して反転した逆向きである。
【００６０】
したがって、雄側リテーナ２３を雄側コネクタＡの相手コネクタ嵌合部４の開口部まで延出させ、雌側リテーナ７４を雌側コネクタＢの相手コネクタ嵌合部６２の開口部まで延出させても、雄側リテーナ２３が雌側リテーナ７４に干渉することがなく、このために、雄側リテーナ２３を相手コネクタ嵌合部４の開口部まで延出させることができると共に、雌側リテーナ７２を相手コネクタ嵌合部６２の開口部まで延出させることができる。
【００６１】
次に、雄側コネクタＡと雌側コネクタＢとの挿抜を説明する。雌側コネクタハウジング６０側の部位６０Ａを雄側コネクタＡの相手コネクタ嵌合部４に嵌合して、雄側接続端子４５の雄側接触子４８を雌側接続端子８２の雌側接触子８５に挿入し互いに接触させる。同時に、雌側コネクタＢのロック部６３を雄側コネクタＡのロック挿入部７に挿入して係合突起部６３ａをロック係止穴８に係脱可能に係合し、雌側コネクタＢを雄側コネクタＡに結合する。
【００６２】
この場合、雌側コネクタハウジング６０の部位６０Ａをシール嵌挿部５に挿入して、この部位６０Ａの端面でシール部材３０の端面を押圧し、このシール部材３０の変形により雌側コネクタハウジング６０と雌側コネクタハウジング２との間の水密を保持する。一方、シール部材３０の押圧時に、シール部材３０の一部がシール挿入溝部６に挿入して防水力の向上に寄与することになる。
【００６３】
また、雄側コネクタＡと雌側コネクタＢとの結合を解除する場合には、ロック部６３を押えて、係合突起部６３ａをロック係止穴８から外し、雌側コネクタＢを引き抜くことで行なわれる。
【００６４】
上記した本発明の実施の形態によれば、雄側リテーナ２３を相手コネクタ嵌合部４の、例えば開口部まで延出させ、雌側リテーナ７４を相手コネクタ嵌合部６２の、例えば開口部まで延出させても、雄側リテーナ２３が雌側リテーナ７４に干渉することがなく，雄側リテーナ２３を雄側コネクタＡの相手コネクタ嵌合部４の、例えば開口部まで延出させることができると共に、雌側リテーナ７４を雌側コネクタＢの相手コネクタ嵌合部６２の、例えば開口部まで延出させることができるために、雄側リテーナ２３及び雌側リテーナ７４の挿入操作に治具等を使用することなく雄側リテーナ２３及び雌側リテーナ７４の挿入操作を行なうことができて挿入操作性が良くなり、相手コネクタ嵌合部４，６２の小型化が可能になって、防水コネクタの小型化が可能になる。
【００６５】
また、本発明の実施の形態によれば、雄側コネクタハウジング２に、雌側コネクタＢの外壁を構成する雌側コネクタハウジング６０の相手コネクタ嵌合部６２側の部位６０Ａが挿入される環状のシール嵌挿部５を設け、このシール嵌挿部５にシール部材３０を嵌挿し、このシール部材３０の閉鎖断面を部位６０Ａの閉鎖断面と同等にして、この雌側コネクタハウジング６０の端面でシール部材３０の端面を押圧するようにしたことにより、シール部材３０の厚みが防水コネクタの大きさに影響することがなく、防水コネクタの小型化に寄与することができる。
【００６６】
また、本発明の実施の形態によれば、シール嵌挿部５の端面部５ａに環状のシール挿入溝部６を形成し、シール部材３０の押圧時に、シール部材３０の一部をシール挿入溝部６に挿入させるようにしたことにより、シール部材３０の押圧時に、シール部材３０の一部がシール挿入溝部６に挿入されるために、防水力を向上させることができる。
【００６７】
また、本発明の実施の形態によれば、雄側バックカバー４０で雄側ケーブル用シール部材３６を押圧して、この雄側ケーブル用シール部材３６を変形させることで、雄側ケーブル用シール部材３６を雄側ケーブル挿通部９に押し付けてケーブル側の防水力を向上させることができるし、雌側バックカバー４０Ｂで雌側ケーブル用シール部材３６Ｂを押圧して、この雌側ケーブル用シール部材３６Ｂを変形させることで、雌側ケーブル用シール部材３６Ｂを雌側ケーブル挿通部６４に押し付けてケーブル側の防水力を向上させることができる。
【産業上の利用可能性】
【００６８】
本発明に係る防水コネクタによれば、雄側リテーナ及び雌側リテーナの挿入操作性がよくなり、相手コネクタ嵌合部の小型化が可能になって、防水コネクタの小型化が可能になるという効果を有しており、例えば、自動車の電気系統に用いて好適な防水コネクタ等に有用である。
【図面の簡単な説明】
【００６９】
【図１】本発明に係る防水コネクタにおける雄側コネクタと雌側コネクタとの結合直前の状態を断面で表わした説明図である。
【図２】同雄側コネクタと雌側コネクタとの結合状態を断面で表わした説明図である。
【図３】雄側コネクタを背面側から見た一部分解した斜視図である。
【図４】雄側コネクタの平面図である。
【図５】同雄側コネクタの側面図である。
【図６】同雄側コネクタの正面図である。
【図７】同雄側コネクタの背面図である。
【図８】図６のＡ−Ａ線に沿う断面図である。
【図９】図６のＢ−Ｂ線に沿う断面図である。
【図１０】図６のＣ−Ｃ線に沿う断面図である。
【図１１】雄側リテーナの平面図である。
【図１２】同雄側リテーナの正面図である。
【図１３】同雄側リテーナの側面図である。
【図１４】同雄側リテーナの裏面図である。
【図１５】図１２のＤ−Ｄ線に沿う断面図である。
【図１６】シール部材の平面図である。
【図１７】同シール部材の正面図である。
【図１８】図１７のＥ−Ｅ線に沿う断面図である。
【図１９】雄側ケーブル用シール部材（雌側ケーブル用シール部材）の正面図である。
【図２０】雄側ケーブル用シール部材（雌側ケーブル用シール部材）の平面図である。
【図２１】雄側接続端子のプレセット状態の説明図である。
【図２２】雄側接続端子のセット状態の説明図である。
【図２３】雌側コネクタの側面図である。
【図２４】同雌側コネクタの正面図である。
【図２５】同雌側コネクタの背面図である。
【図２６】図２４のＦ−Ｆ線に沿う断面図である。
【図２７】図２４のＧ−Ｇ線に沿う断面図である。
【図２８】図２４のＨ−Ｈ線に沿う断面図である。
【図２９】雌側リテーナの正面図である。
【図３０】同雌側リテーナの側面図である。
【図３１】図２９のＩ−Ｉ線に沿う断面図である。
【図３２】同雌側リテーナの平面図である。
【図３３】同雌側リテーナの裏面図である。
【図３４】雌側接続端子のプレセット状態の説明図である。
【図３５】従来のコネクタにおける雄側コネクタと雌側コネクタとの結合直前の状態を断面で表わした説明図である。
【符号の説明】
【００７０】
イ      コネクタ挿抜方向
Ａ      雄側コネクタ
Ｂ      雌側コネクタ
２      雄側コネクタハウジング
３      閉塞端部
４      相手コネクタ嵌合部（一方の相手コネクタ嵌合部）
５      シール嵌挿部
５ａ    端面部
６      シール挿入溝部
９      雄側ケーブル挿通部
１０    端子収容室形成部
１１    端子収容室
１３    突起挿入溝部
１４    雄側ランス
１５    リテーナ嵌合壁部
１６    雄側リテーナ嵌合部
１７ａ  係止用切欠き部
１７    係止孔部
１８    雄側バックカバー装着部
１９    環状突起部
２０    係合凹部
２１    係合突起
２２    係合突起
２３    雄側リテーナ
２４    レバー部
２５    ランス押圧部
２６    挿入部
２７Ａ  衝合部
２７Ｂ  押え部
２８    仕切り壁部
２９Ａ  ガイド突起部
２９Ｂ  係止突起部
３０    シール部材
３２    係止突起部
３３    係止突起部
３６    雄側ケーブル用シール部材
３６Ｂ  雌側ケーブル用シール部材
４０    雄側バックカバー
４０Ｂ  雌側バックカバー
４５    雄側接続端子
４６    圧着部
４７    嵌合部
４８    雄側接触子
６０    雌側コネクタハウジング
６１    閉塞端部
６２    相手コネクタ嵌合部（他方の相手コネクタ嵌合部）
６３    ロック部
６４    雌側ケーブル挿通部
６５    端子収容室形成部
６６    端子収容室
６８    雌側リテーナ嵌合部
６９    レール部
７０Ａ  リテーナ用ストッパ部
７１    ガイド用溝部
７０Ｂ  リテーナ用ストッパ部
７２    雌側ランス
７３    雌側バックカバー装着部
７４    雌側リテーナ
７５    ランス押圧部
７８    押え部
７９    仕切り壁部
８０    レールガイド溝部
８１    当接部
８１Ａ  ガイド突起部
８２    雌側接続端子
８３    圧着部
８４    嵌合部
８５    雌側接触子
【図１】
0004730360.tif 000002
【図２】
0004730360.tif 000003
【図３】
0004730360.tif 000004
【図４】
0004730360.tif 000005
【図５】
0004730360.tif 000006
【図６】
0004730360.tif 000007
【図７】
0004730360.tif 000008
【図８】
0004730360.tif 000009
【図９】
0004730360.tif 000010
【図１０】
0004730360.tif 000011
【図１１】
0004730360.tif 000012
【図１２】
0004730360.tif 000013
【図１３】
0004730360.tif 000014
【図１４】
0004730360.tif 000015
【図１５】
0004730360.tif 000016
【図１６】
0004730360.tif 000017
【図１７】
0004730360.tif 000018
【図１８】
0004730360.tif 000019
【図１９】
0004730360.tif 000020
【図２０】
0004730360.tif 000021
【図２１】
0004730360.tif 000022
【図２２】
0004730360.tif 000023
【図２３】
0004730360.tif 000024
【図２４】
0004730360.tif 000025
【図２５】
0004730360.tif 000026
【図２６】
0004730360.tif 000027
【図２７】
0004730360.tif 000028
【図２８】
0004730360.tif 000029
【図２９】
0004730360.tif 000030
【図３０】
0004730360.tif 000031
【図３１】
0004730360.tif 000032
【図３２】
0004730360.tif 000033
【図３３】
0004730360.tif 000034
【図３４】
0004730360.tif 000035
【図３５】
0004730360.tif 000036